(57)【特許請求の範囲】
【請求項１】
間隔をあけて互いに対向する一対の面材と、前記一対の面材の端部を固定する枠材と、前記面材間の内部空間に配設される真空断熱材と、前記面材間の前記真空断熱材以外の内部空間に充填発泡される充填断熱材とで構成される断熱パネルであって、前記枠材は凸状の枠材と凹状の枠材を有し、前記凹状の枠材の前記凹部に、断熱部材を収納保持する収納部が形成されており、前記断熱パネルを連結する場合は、隣接する一方の前記断熱パネルの前記凸状の枠材の凸部と他方の前記断熱パネルの前記凹状の枠材の凹部とが、前記断熱部材を間に挟んで連結され、隣接する一方の前記断熱パネルの前記凸状の枠材と他方の前記断熱パネルの前記凹状の枠材との間の隙を、前記断熱部材を使ってなくし、隣接する一方の前記断熱パネルの前記面材と他方の前記断熱パネルの前記面材との間の隙を、充填材によって埋めたことを特徴とする断熱パネル。
【請求項２】
断熱部材に、真空断熱部材を用いたことを特徴とする請求項１に記載の断熱パネル。
【発明の詳細な説明】
【技術分野】
【０００１】
本発明は、低温や高温に温度を一定に保つ断熱箱体などに用いられる断熱パネルに関するものである。
【背景技術】
【０００２】
近年、地球温暖化防止の観点から様々な分野で省エネルギ−化が大きな課題となっている。中でも食品の冷凍冷蔵や室内空間の温度制御に必要となる電気エネルギ−の省力化も必須課題であり、様々な省エネルギ−化の取り組みがなされている。
【０００３】
本課題を解決する一つの策として、食品の冷凍冷蔵に用いられる大型倉庫や小型プレハブを構成する断熱パネルの断熱性能を高めてエネルギ−化を図るべく、断熱パネルに真空パネルを用いることが考案された。具体的には、真空断熱材だけで断熱パネルを構成することは、生産性や信頼性の観点から極めて困難なため、断熱パネル内部に真空断熱材を配設した後、断熱パネル内にウレタンフォ−ムを充填し断熱パネルを構成する方法が取られてきた。
【０００４】
また、ウレタンフォ−ムの充填性を確保し適性な断熱性能を得る為に断熱パネルを構成する枠材や断熱パネルを連結して断熱箱体を構成するための連結装置と真空断熱材との距離をある程度確保し、真空断熱材を枠材や連結装置に対して紐やワイヤ−を用いて支持する方法がとられていた（例えば、特許文献１参照）。
【０００５】
以下、図面を参照しながら上述した従来の断熱パネルを説明する。
【０００６】
図３は、従来の断熱パネル１の断面図である。図３に示すように、従来の断熱パネル１は、間隔をあけて互いに対向している一対の面材２と、この面材２間の内部空間に配置されている板状の真空断熱材３と、面材２間の内部空間に充填発泡される充填断熱材４と、対向する面材２を連結して断熱パネルを略密閉空間として構成するための枠材５と、複数の断熱パネル１を連結して断熱箱体を構成するための連結装置６と、真空断熱材３を連結装置６に対して支持する線状材７を備えている。
【０００７】
以上のように構成された断熱パネル１について、以下その作用を説明する。
【０００８】
対向する面材２の内部に配設される真空断熱材３は、断熱パネル１の面積よりもある程度小さく、枠材５に接合された連結部材６に対して線状材７で位置決めされている。そのため、充填断熱材４を充填する際に、真空断熱材３が充填圧力に押されて移動してしまうといった問題が生じないとともに、線状材７で位置決めしているため充填断熱材４の充填性を損なうような邪魔な障害物がないため充填断熱材４が充填しきれず空隙ができてしまうといった問題が生じない。その結果、真空断熱材３を用いない場合と比較して高い断熱性能を得ることができると期待できる。
【特許文献１】特開平１１−１４２０４９号公報
【発明の開示】
【発明が解決しようとする課題】
【０００９】
しかしながら、上記従来の構成では、断熱パネル１内に真空断熱材３を配置すると共にウレタンフォ−ムなどの充填断熱材４を充填し断熱効果の高い断熱パネル１を構成するも、隣接する一方の断熱パネル１の枠材５と他方の断熱パネル１の枠材５間に隙が発生し、外部からの熱侵入が多く、真空断熱材３を用いた箱体としての断熱性能は期待した程向上しないという課題を有していた。
【００１０】
本発明は上記従来の課題を解決するもので、断熱パネルを連結する場合に、隣接する一方の断熱パネルの枠材と他方の断熱パネルの枠材との間の断熱性が高い断熱パネルを提供することを目的とする。
【課題を解決するための手段】
【００１１】
上記目的を達成するために、本発明は、間隔をあけて互いに対向する一対の面材と、前記一対の面材の端部を固定する枠材と、前記面材間の内部空間に配設される真空断熱材と、前記面材間の前記真空断熱材以外の内部空間に充填発泡される充填断熱材とで構成される断熱パネルであって、前記枠材は凸状の枠材と凹状の枠材を有し、前記凹状の枠材の前記凹部に、断熱部材を収納保持する収納部が形成されており、前記断熱パネルを連結する場合は、隣接する一方の前記断熱パネルの前記凸状の枠材の凸部と他方の前記断熱パネルの前記凹状の枠材の凹部とが、前記断熱部材を間に挟んで連結され、隣接する一方の前記断熱パネルの前記凸状の枠材と他方の前記断熱パネルの前記凹状の枠材との間の隙を、前記断熱部材を使ってなくし、隣接する一方の前記断熱パネルの前記面材と他方の前記断熱パネルの前記面材との間の隙を、充填材によって埋めたのである。
【００１２】
これにより、断熱パネルを連結する場合に、隣接する一方の断熱パネルの枠材と他方の断熱パネルの枠材との間の隙をなくし、外部からの侵入熱量を大幅に削減し、断熱性が高まり、保温または保冷のために加熱または冷却するための消費電力量を低減できる。
【発明の効果】
【００１３】
本発明の断熱パネルは、断熱パネルを連結する場合に、隣接する一方の断熱パネルの枠材と他方の断熱パネルの枠材との間の隙を、断熱部材と充填材を使ってなくすることで、外部からの侵入熱量を大幅に削減し、断熱性が高まり、保温または保冷のために加熱または冷却するための消費電力量を低減することができる断熱パネルを提供することが出来る。
【００１４】
また、凹状の枠材の凹部に、断熱部材を収納保持する収納部が形成されているため、断熱パネルを連接する場合における、対向する枠材で挟む断熱部材を、所定位置に固定する作業の作業性が向上する。また、断熱部材を収納保持する収納部の形成は、凸状の枠材と凹状の枠材のうち凹状の枠材だけであるので、収納部形成によるコスト高を小さくできる。
【発明を実施するための最良の形態】
【００１５】
請求項１に記載の断熱パネルの発明は、
間隔をあけて互いに対向する一対の面材と、前記一対の面材の端部を固定する枠材と、前記面材間の内部空間に配設される真空断熱材と、前記面材間の前記真空断熱材以外の内部空間に充填発泡される充填断熱材とで構成される断熱パネルであって、前記枠材は凸状の枠材と凹状の枠材を有し、前記凹状の枠材の前記凹部に、断熱部材を収納保持する収納部が形成されており、前記断熱パネルを連結する場合は、隣接する一方の前記断熱パネルの前記凸状の枠材の凸部と他方の前記断熱パネルの前記凹状の枠材の凹部とが、前記断熱部材を間に挟んで連結され、隣接する一方の前記断熱パネルの前記凸状の枠材と他方の前記断熱パネルの前記凹状の枠材との間の隙を、前記断熱部材を使ってなくし、隣接する一方の前記断熱パネルの前記面材と他方の前記断熱パネルの前記面材との間の隙を、充填材によって埋めたものであり、断熱パネルを連結する場合に、隣接する一方の断熱パネルの枠材と他方の断熱パネルの枠材との間の隙を、断熱部材と充填材を使ってなくし、外部からの侵入熱量を大幅に削減し、連結した断熱パネルの断熱性が高まり、保温または保冷のために加熱または冷却するための消費電力量を低減できる。
【００１６】
また、凹状の枠材の凹部に、断熱部材を収納保持する収納部が形成されているため、断熱パネルを連接する場合における、対向する枠材で挟む断熱部材を、所定位置に固定する作業の作業性が向上する。また、断熱部材を収納保持する収納部の形成は、凸状の枠材と凹状の枠材のうち凹状の枠材だけであるので、収納部形成によるコスト高を小さくできる。
【００１７】
請求項２に記載の断熱パネルの発明は、請求項１に記載の発明における断熱部材に、真空断熱部材を用いたものであり、真空断熱部材の高い断熱性能を活かして、外部からの侵入熱量を更に削減し、連接した断熱パネルの断熱性が更に高まり、保温または保冷のために加熱または冷却するための消費電力量を更に低減できる。
【００１８】
以下、本発明の実施の形態について、図面を参考にしながら説明する。なお、この実施の形態によってこの発明が限定されるものではない。
【００１９】
（実施の形態１）
図１は、本発明の実施の形態１における断熱パネルの断面図である。
【００２０】
図１に示すように、間隔をあけて互いに対向する一対の面材１０１，１０２と、一対の面材１０１，１０２の外周部に設けられ一対の面材１０１，１０２を固定する凸状の枠材１０３及び凹状の枠材１０４’と、一対の面材１０１，１０２と凸状の枠材１０３及び凹状の枠材１０４’とにより形成される内部空間１０５内において面材１０２に接して配設される真空断熱材１０６と、内部空間１０５における真空断熱材１０６以外の空間に充填発泡される充填断熱材１０７とから断熱パネル１０８が構成される。
【００２１】
そして、断熱パネル１０８を連接する場合は、隣接する一方の断熱パネル１０８の凸状の枠材１０３の凸部１０３ａと他方の断熱パネル１０８の凹状の枠材１０４’の凹部１０４ａ’とは、断熱部材１１２を間に挟んで係合するように連接される。
【００２２】
なお、凹状の枠材１０４’の凹部１０４ａ’に、断熱部材１１２を収納保持する収納部１０４ｂ’が形成されている。
【００２３】
また、断熱パネル１０８を連接したとき、隣接する一方の断熱パネル１０８の凸状の枠材１０３と他方の断熱パネル１０８の凹状の枠材１０４’との間にできる隙は、断熱部材１１２によって埋められ、隣接する一方の断熱パネル１０８の面材１０１，１０２と他方の断熱パネル１０８の面材１０１，１０２との間にできる隙は、充填材１１０によって埋められる。
【００２４】
以上のように構成された本実施の形態の断熱パネル１０８は、凹状の枠材１０４’の凹部１０４ａ’に、断熱部材１１２を収納保持する収納部１０４ｂ’を形成した以外は、実施の形態１と同じ構成であり、実施の形態１の作用効果に加えて、凹状の枠材１０４’の凹部１０４ａ’に、断熱部材１１２を収納保持する収納部１０４ｂ’が形成されているため、断熱パネル１０８を連接する場合における、対向する枠材１０３，１０４’で挟む断熱部材１１２を、所定位置に固定する作業の作業性が向上する。また、断熱部材１１２を収納保持する収納部１０４ｂ’の形成は、枠材１０４’だけであるので、収納部１０４ｂ’形成によるコスト高を小さくできる。
【００２５】
（実施の形態２）
図２は、本発明の実施の形態２における断熱パネルの断面図である。
【００２６】
図２に示すように、間隔をあけて互いに対向する一対の面材１０１，１０２と、一対の面材１０１，１０２の外周部に設けられ一対の面材１０１，１０２を固定する凸状の枠材１０３及び凹状の枠材１０４’と、一対の面材１０１，１０２と凸状の枠材１０３及び凹状の枠材１０４’とにより形成される内部空間１０５内において面材１０２に接して配設される真空断熱材１０６と、内部空間１０５における真空断熱材１０６以外の空間に充填発泡される充填断熱材１０７とから断熱パネル１０８が構成される。
【００２７】
そして、断熱パネル１０８を連接する場合は、隣接する一方の断熱パネル１０８の凸状の枠材１０３の凸部１０３ａと他方の断熱パネル１０８の凹状の枠材１０４’の凹部１０４ａ’とは、真空断熱部材１１３を間に挟んで係合するように連接される。
【００２８】
なお、凹状の枠材１０４’の凹部１０４ａ’に、真空断熱部材１１３を収納保持する収納部１０４ｂ’が形成されている。
【００２９】
また、断熱パネル１０８を連接したとき、隣接する一方の断熱パネル１０８の凸状の枠材１０３と他方の断熱パネル１０８の凹状の枠材１０４’との間にできる隙は、真空断熱部材１１３によって埋められ、隣接する一方の断熱パネル１０８の面材１０１，１０２と他方の断熱パネル１０８の面材１０１，１０２との間にできる隙は、充填材１１０によって埋められる。
【００３０】
以上のように構成された本実施の形態の断熱パネル１０８は、実施の形態３における断熱部材１１２を真空断熱部材１１３に変更した以外は、実施の形態３と同じ構成であり、実施の形態３の作用効果に加えて、真空断熱部材１１３の高い断熱性能を活かして、外部からの侵入熱量を更に削減し、連接した断熱パネル１０８の断熱性が更に高まり、保温または保冷のために加熱または冷却するための消費電力量を更に低減できる。
【産業上の利用可能性】
【００３１】
以上のように、本発明にかかる断熱パネルは、断熱パネルを連接する場合に、隣接する一方の断熱パネルの枠材と他方の断熱パネルの枠材との間の隙をなくすることで、外部からの侵入熱量を大幅に削減し、断熱性が高まり、保温または保冷のために加熱または冷却するための消費電力量を低減することができるので、低温や高温に温度を一定に保つ冷凍冷蔵庫や倉庫ならびに屋外のＡＴＭプレハブなど様々な空調空間を構成する断熱箱体や断熱壁に用いることができ、温度コントロールに必要となる電気エネルギーの省力化に大きく貢献できる。
【図面の簡単な説明】
【００３２】
【図１】本発明の実施の形態１における断熱パネルの断面図
【図２】本発明の実施の形態２における断熱パネルの断面図
【図３】従来の断熱パネルの断面図
【符号の説明】
【００３３】
１０１，１０２        面材
１０３                凸状の枠材
１０３ａ              凸部
１０４’              凹状の枠材
１０４ａ’            凹部
１０４ｂ’            収納部
１０８                断熱パネル
１１２                断熱部材
１１３                真空断熱部材
【図１】
0003804683.tif 000002
【図２】
0003804683.tif 000003
【図３】
0003804683.tif 000004